【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
金融機関の勘定系業務情報を格納する勘定系ホストコンピュータにネットワークを介して接続され、
係員操作画面の開始操作に応じて金庫部に収納された現金の締上げ精査処理を行うＡＴＭ装置において、
前記締上げ精査処理が終了すると、現金を除く各種媒体に対する付帯処理を開始して媒体ごとに残量を監視し、
残量が少なく補充の必要があると検出された媒体に対しては、前記係員操作画面にその補充を促す表示をさせる制御手段を備えた
ことを特徴とするＡＴＭ装置。
【請求項２】
前記各種媒体の残量を検出する検出処理を各種媒体ごとに行う検出手段を備え、前記付帯処理の際に、前記制御手段が前記検出手段から残量が少ないという検出信号による通知を受けたとき、媒体ごとに対応して補充を促す指示信号を出力して前記係員操作画面に表示する制御プログラムを格納していることを特徴とする請求項１に記載のＡＴＭ装置。
【請求項３】
前記検出手段は前記検出処理を各種媒体ごとに順次行い、ある媒体の残量が少ないことを検出した場合、制御部は次の媒体の検出処理を行う前に、当該媒体について前記指示信号を出力する
ことを特徴とする請求項２に記載のＡＴＭ装置。
【請求項４】
前記締上げ精査処理は、精査処理金庫部に収納された現金を補充回収部へ移動させて行われる
ことを特徴とする請求項１〜３のいずれかに記載のＡＴＭ装置。
【請求項５】
金融機関の勘定系業務情報を格納する勘定系ホストコンピュータにネットワークを介して接続され、
係員操作画面の開始操作に応じて金庫部に収納された現金の締上げ精査処理を行う精査処理手段を備えたＡＴＭ装置において、
前記各種媒体の残量を検出する検出処理を各種媒体ごとに行う検出手段と、
各処理手段を制御する制御手段とを備え、
前記制御手段は、前記締上げ精査処理が終了すると、現金を除く各種媒体に対する付帯処理を開始し、
前記検出手段は、前記付帯処理が開始されると各種媒体ごとに順次残量を確認し、
前記制御手段は、前記検出手段からある媒体に対して残量が少ないという検出信号による通知を受けたとき、
次の媒体の残量を検出する前に、当該媒体に対する補充を促す指示信号を出力して前記係員操作画面に表示させる
ことを特徴とするＡＴＭ装置。
【請求項６】
金融機関の勘定系業務情報を格納する勘定系ホストコンピュータにネットワークを介して接続され、
係員操作画面の開始操作に応じて金庫部に収納された現金の締上げ精査処理を行うＡＴＭ装置と、
前記金融機関の勘定系ホストコンピュータにＷＡＮで接続された外部委託業者の媒体在庫状況監視サーバとを設けたＡＴＭシステムにおける精査／付帯一括処理システムであって、
ＡＴＭ装置における前記締上げ精査処理が終了すると、現金を除く各種媒体に対する付帯処理を開始して媒体ごとに残量を監視し、
残量が少なく補充の必要があると検出された媒体に対しては、前記係員操作画面にその補充を促す表示をさせる制御手段を備え、
外部委託業者の係員による操作で前記精査処理および前記付帯処理を完了したことの通知信号を前記制御手段から前記勘定系ホストコンピュータを経由して前記媒体在庫状況監視サーバが受け取り、データベースに蓄積するよう構成した
ことを特徴とするＡＴＭ装置における精査／付帯一括処理システム。
【手続補正２】
【補正対象書類名】明細書
【補正対象項目名】発明の名称
【補正方法】変更
【補正の内容】
【発明の名称】ＡＴＭ装置及びＡＴＭ装置における精査／付帯一括処理システム
【手続補正３】
【補正対象書類名】明細書
【補正対象項目名】０００７
【補正方法】変更
【補正の内容】
【０００７】
＜構成＞
上記目的を達成するために、本発明による請求項１記載のＡＴＭ装置は、金融機関の勘定系業務情報を格納する勘定系ホストコンピュータにネットワークを介して接続され、係員操作画面の開始操作に応じて金庫部に収納された現金の締上げ精査処理を行うＡＴＭ装置において、前記締上げ精査処理が終了すると、現金を除く各種媒体に対する付帯処理を開始して媒体ごとに残量を監視し、残量が少なく補充の必要があると検出された媒体に対しては、前記係員操作画面にその補充を促す表示をさせる制御手段を備えたことを特徴とする。
【手続補正４】
【補正対象書類名】明細書
【補正対象項目名】０００８
【補正方法】変更
【補正の内容】
【０００８】
以上から、この請求項１記載のＡＴＭ装置は、制御手段が現金の精査処理を係員が終了したことを監視しているとともに、現金以外の他の媒体である明細票、通帳、振込券などの在庫状況についても、媒体ごとの残量を監視している。係員が出動して現金の精査処理終了後、その出動時を利用して効率よく他の媒体を回収または補充する付帯処理を続行させる。一元管理して精査処理と付帯処理を一度の作業で完了させて係員の出動回数を削減する。
【手続補正５】
【補正対象書類名】明細書
【補正対象項目名】０００９
【補正方法】変更
【補正の内容】
【０００９】
＜構成＞
また、請求項５記載のＡＴＭ装置は、金融機関の勘定系業務情報を格納する勘定系ホストコンピュータにネットワークを介して接続され、係員操作画面の開始操作に応じて金庫部に収納された現金の締上げ精査処理を行う精査処理手段を備えたＡＴＭ装置において、前記各種媒体の残量を検出する検出処理を各種媒体ごとに行う検出手段と、各処理手段を制御する制御手段とを備え、前記制御手段は、前記締上げ精査処理が終了すると、現金を除く各種媒体に対する付帯処理を開始し、前記検出手段は、前記付帯処理が開始されると各種媒体ごとに順次残量を確認し、前記制御手段は、前記検出手段からある媒体に対して残量が少ないという検出信号による通知を受けたとき、次の媒体の残量を検出する前に、当該媒体に対する補充を促す指示信号を出力して前記係員操作画面に表示させることを特徴とする。
【手続補正６】
【補正対象書類名】明細書
【補正対象項目名】００１０
【補正方法】変更
【補正の内容】
【００１０】
以上から、この請求項５記載のＡＴＭ装置は、検出手段により媒体ごとに残量が検出され、次の媒体の残量検出前に検出した媒体に対し補充を促す画面を表示させるので、媒体の回収／補充のタイミングを計るのにこれまでのような担当係員の経験や勘を必要としない。
【手続補正７】
【補正対象書類名】明細書
【補正対象項目名】００１１
【補正方法】変更
【補正の内容】
【００１１】
＜構成＞
また、請求項６記載の精査／付帯一括処理システムは、金融機関の勘定系業務情報を格納する勘定系ホストコンピュータにネットワークを介して接続され、係員操作画面の開始操作に応じて金庫部に収納された現金の締上げ精査処理を行うＡＴＭ装置と、前記金融機関の勘定系ホストコンピュータにＷＡＮで接続された外部委託業者の媒体在庫状況監視サーバとを設けたＡＴＭシステムにおける精査／付帯一括処理システムであって、ＡＴＭ装置における前記締上げ精査処理が終了すると、現金を除く各種媒体に対する付帯処理を開始して媒体ごとに残量を監視し、残量が少なく補充の必要があると検出された媒体に対しては、前記係員操作画面にその補充を促す表示をさせる制御手段を備え、外部委託業者の係員による操作で前記精査処理および前記付帯処理を完了したことの通知信号を前記制御手段から前記勘定系ホストコンピュータを経由して前記媒体在庫状況監視サーバが受け取り、データベースに蓄積するよう構成したことを特徴とする。
【手続補正８】
【補正対象書類名】明細書
【補正対象項目名】００１２
【補正方法】変更
【補正の内容】
【００１２】
以上から、この請求項６記載の精査／付帯一括処理システムは、金融機関である例えば銀行のＡＴＭ装置における精査／付帯処理を外部業者に委託（アウトソーシング）した場合、この外部委託業者の媒体在庫状況監視サーバを銀行の勘定系ホストコンピュータにＷＡＮで接続することにより、精査／付帯処理に精通する銀行員はもとより、外部委託業者の作業担当係員が操作に不慣れでも制御に基づく表示を利用して作業を一元管理することができる。
【手続補正９】
【補正対象書類名】明細書
【補正対象項目名】００１３
【補正方法】変更
【補正の内容】
【００１３】
以上説明したように、本発明によれば、精査処理と付帯処理が制御に基づいて一元管理されるので、操作に不慣れな外部業者に委託する場合でも、当業者の担当係員の出動が増えることなく、従来のように出動回数が嵩んで外注コストが高騰する不具合を解消するのに有効である。